(57)【要約】【課題】着信のあった携帯電話機に対応する電話機を選択して呼び出しを行う。【解決手段】複数のＩＰ電話機２０Ａ〜２０Ｅの呼制御を行う交換機としてのＳＩＰサーバ１０は、当該ＳＩＰサーバ１０に接続された携帯端末３０Ａ〜３０Ｃ及びデュアル携帯端末４０Ａ，４０Ｂに対応するＩＰ電話機２０Ａ〜２０Ｅを事前に登録したデータテーブルを持つ。携帯端末３０Ａ〜３０Ｃ及びデュアル携帯端末４０Ａ，４０Ｂのいずれかの端末に携帯電話網からの着信があった場合、ＳＩＰサーバ１０はその端末に対応するＩＰ電話機２０Ａ〜２０Ｅを選択して呼び出しをかける。【選択図】図１
2010041148.tif 000002
【特許請求の範囲】
【請求項１】
配下に持つ複数の電話機の呼制御を行う制御手段を備える交換機であって、
当該交換機に接続される携帯端末と前記電話機とが関連付けられて事前に登録されたデータテーブルを記憶する記憶手段を備え、
前記制御手段は、前記携帯端末に携帯電話網から呼び出しがあったときに、該携帯端末に関連付けられて前記データテーブルに登録された前記電話機を選択して呼び出しをかける構成にしたことを特徴とする交換機。
【請求項２】
アクセスポイントを備え、
前記携帯端末は、前記アクセスポイントを介して無線接続されることを特徴とする請求項１に記載の交換機。
【請求項３】
前記携帯端末に携帯電話網から呼び出しがあったときに、該携帯端末に関連付けられて前記データテーブルに登録された複数の前記電話機を選択して呼び出しをかける構成にしたことを特徴とする請求項１又は２に記載の交換機。
【請求項４】
当該交換機には、複数の前記携帯端末が接続されることを特徴とする請求項１乃至３のいずれか１項に記載の交換機。
【請求項５】
配下に持つ複数の電話機の呼制御を行う交換機と、
前記交換機に接続される携帯端末とを備える電話システムであって、
前記交換機に接続される携帯端末と前記電話機とが関連付けられて事前に登録されたデータテーブルを備え、
前記交換機は、前記携帯端末に携帯電話網から呼び出しがあったときに、該携帯端末に関連付けられて前記データテーブルに登録された前記電話機を選択して呼び出しをかける構成にしたことを特徴とする電話システム。
【請求項６】
前記交換機は、アクセスポイントを備え、
前記携帯端末は、前記交換機と前記アクセスポイントを介して無線接続されることを特徴とする請求項５に記載の電話システム。
【請求項７】
前記携帯端末に携帯電話網から呼び出しがあったときに、該携帯端末に関連付けられて前記データテーブルに登録された複数の前記電話機を選択して呼び出しをかける構成にしたことを特徴とする請求項５又は６に記載の電話システム。
【請求項８】
前記交換機には複数の前記携帯端末が接続されることを特徴とする請求項５乃至７のいずれか１項に記載の電話システム。
【請求項９】
配下に持つ複数の電話機の呼制御を行う交換機と、
前記交換機に接続される携帯端末とを備える電話システムにおいて、
前記交換機に接続される携帯端末と前記電話機とを関連付けて事前にデータテーブルに登録しておき、
前記携帯端末に携帯電話網から呼び出しがあったときに、該携帯端末に関連付けられて前記データテーブルに登録された前記電話機を選択して呼び出しをかけることを特徴とする中継方法。
【発明の詳細な説明】
【技術分野】
【０００１】
本発明は、交換機、電話システム及び中継方法に関する。
【背景技術】
【０００２】
携帯電話機の普及に伴い、ＰＢＸ（Private Branch Exchange）に携帯電話機を組込むシステムが提案されている（例えば特許文献１参照）。
【特許文献１】特開２００３−３４８６２８号公報
【０００３】
特許文献１は、ＰＢＸに接続された接続装置を介してＰＢＸと携帯電話機とを接続し、携帯電話機が着信するとＰＢＸ配下にある内線電話機を着信させ、ＰＢＸの配下の複数の内線電話から所望の携帯電話機を介して携帯電話網に接続するシステムを提案している。
【発明の開示】
【発明が解決しようとする課題】
【０００４】
特許文献１の提案するシステムは、ＰＢＸに接続装置を介して接続された携帯電話機を複数の内線電話機から利用可能にすることを目的としたものであり、その携帯電話機に着信があった場合には、予め設定された内線電話機を呼び出すことで、携帯電話機を介して内線電話機と外部の相手先とが通話可能になる。
【０００５】
このようなシステムを例えば業務用に使用すると、接続装置を介してＰＢＸに接続された携帯電話機に着信があった場合に所定の内線電話機Ａに着信するように設定した後に、別の携帯電話機を接続装置に接続すると、その別の携帯電話機に着信があったときに内線電話機Ａが呼び出されてしまう。即ち、特許文献１のシステムは、携帯電話機毎に着信する内線電話機を変更できないという問題があった。
【０００６】
本発明は、このような不具合を解消し、着信のあった携帯電話機に対応する電話機に呼び出しを行うことができる交換機、電話システム、及び中継方法を実現することを目的とする。
【課題を解決するための手段】
【０００７】
上記目的を達成するために、本発明の第１の観点に係る交換機は、
配下に持つ複数の電話機の呼制御を行う制御手段を備える交換機であって、
当該交換機に接続される携帯端末と前記電話機とが関連付けられて事前に登録されたデータテーブルを記憶する記憶手段を備え、
前記制御手段は、前記携帯端末に携帯電話網から呼び出しがあったときに、該携帯端末に関連付けられて前記データテーブルに登録された前記電話機を選択して呼び出しをかける構成にしたことを特徴とする。
【０００８】
尚、アクセスポイントを備え、前記携帯端末は、前記アクセスポイントを介して無線接続されてもよい。
【０００９】
また、前記携帯端末に携帯電話網から呼び出しがあったときに、該携帯端末に関連付けられて前記データテーブルに登録された複数の前記電話機を選択して呼び出しをかける構成にしてもよい。
【００１０】
また、当該交換機には、複数の前記携帯端末が接続されてもよい。
【００１１】
上記目的を達成するために、本発明の第２の観点に係る電話システムは、
配下に持つ複数の電話機の呼制御を行う交換機と、
前記交換機に接続される携帯端末とを備える電話システムであって、
前記交換機に接続される携帯端末と前記電話機とが関連付けられて事前に登録されたデータテーブルを備え、
前記交換機は、前記携帯端末に携帯電話網から呼び出しがあったときに、該携帯端末に関連付けられて前記データテーブルに登録された前記電話機を選択して呼び出しをかける構成にしたことを特徴とする。
【００１２】
なお、前記交換機は、アクセスポイントを備え、前記携帯端末は、前記交換機と前記アクセスポイントを介して無線接続されてもよい。
【００１３】
また、前記携帯端末に携帯電話網から呼び出しがあったときに、該携帯端末に関連付けられて前記データテーブルに登録された複数の前記電話機を選択して呼び出しをかける構成にしてもよい。
【００１４】
また、前記交換機には複数の前記携帯端末が接続されてもよい。
【００１５】
上記目的を達成するために、本発明の第３の観点に係る中継方法は、
配下に持つ複数の電話機の呼制御を行う交換機と、
前記交換機に接続される携帯端末とを備える電話システムにおいて、
前記交換機に接続される携帯端末と前記電話機とを関連付けて事前にデータテーブルに登録しておき、
前記携帯端末に携帯電話網から呼び出しがあったときに、該携帯端末に関連付けられて前記データテーブルに登録された前記電話機を選択して呼び出しをかけることを特徴とする。
【発明の効果】
【００１６】
本発明によれば、着信のあった携帯電話機毎に、呼び出す電話機を変更できる。また、本発明では、携帯電話機への着信をその携帯電話機に関連付けられて事前に登録された電話機に転送するので、転送時に内線番号を入力するような転送作業の必要がなく、転送が容易である。
【発明を実施するための最良の形態】
【００１７】
以下、図面に基づき、本発明の実施の形態について詳細に説明する。
図１は、本発明の実施形態に係る電話システムを示す構成図である。
この電話システムは、交換機としてのＳＩＰサーバ１０を備えている。
ＳＩＰサーバ１０には、１以上の配下のＩＰ電話機（ＩＰ−ＴＥＬ）２０Ａ，２０Ｂ，２０Ｃ，２０Ｄ，２０Ｅが接続されると共に、中継用の携帯電話機（以下、携帯端末という）３０Ａ，３０Ｂ，３０Ｃが接続される。この電話システムは、さらに、ＳＩＰサーバ１０に無線ＬＡＮで接続された当該システムに所属する複数の中継用デュアル携帯電話機（以下、デュアル携帯端末という）４０Ａ，４０Ｂを備えている。
【００１８】
本電話システムでは、ＩＰ電話機２０Ａ〜２０Ｅから発信先の電話機の電話番号を入力すると、ＳＩＰサーバ１０は携帯端末３０Ａ〜３０Ｃ及びデュアル携帯端末４０Ａ，４０Ｂのいずれか１台を選択して起動させ、選択した携帯端末３０Ａ〜３０Ｃ又はデュアル携帯端末４０Ａ，４０ＢにＩＰ電話機２０Ａ〜２０Ｅから入力された電話番号を送信する。そして、その選択された携帯端末３０Ａ〜３０Ｃ又はデュアル携帯端末４０Ａ，４０Ｂは、与えられた電話番号の呼び出しを行う。呼び出しに対して相手の電話機が応答すると、発信元のＩＰ電話機２０Ａ〜２０Ｅは、選択した携帯端末３０Ａ〜３０Ｃ又はデュアル携帯端末４０Ａ，４０Ｂを中継機として相手先の電話機と通話可能となる。
【００１９】
本電話システムでは、各携帯端末３０Ａ〜３０Ｃ及びデュアル携帯端末４０Ａ，４０Ｂに付与されている携帯電話通信網用の電話番号が、システム外からＩＰ電話機２０Ａ〜２０Ｅを呼び出すための電話番号となる。
【００２０】
システム外の電話機から携帯電話通信網を介して携帯端末３０Ａ〜３０Ｃ又はデュアル携帯端末４０Ａ，４０Ｂの電話番号を発呼すると、その電話番号を持つ携帯端末３０Ａ〜３０Ｃ又はデュアル携帯端末４０Ａ，４０Ｂが着信する。そして、着信があった旨がＳＩＰサーバ１０に伝わり、ＳＩＰサーバ１０は、後述するデータテーブルに基づき、着信のあった携帯端末３０Ａ〜３０Ｃ又はデュアル携帯端末４０Ａ，４０Ｂに対応するＩＰ電話機２０Ａ〜２０Ｅを選択して呼び出す。
【００２１】
その選択されたＩＰ電話機２０Ａ〜２０Ｅのいずれかが応答すると、電話番号を発呼したシステム外の電話機は、電話番号で指定した携帯端末３０Ａ〜３０Ｃ又はデュアル携帯端末４０Ａ，４０Ｂを中継機としてそれに対応するＩＰ電話機２０Ａ〜２０Ｅと通話可能になる。
【００２２】
図２は、図１中のＳＩＰサーバ１０を示す構成図である。
ＳＩＰサーバ１０は、ＩＰ電話機２０Ａ〜２０Ｅを配下として管理し、これらのＩＰ電話機２０Ａ〜２０Ｅの呼制御等を行う。ＳＩＰサーバ１０には、ＣＰＵ１１と、ＣＰＵ１１に接続され、データテーブル等を記憶するメモリ１２と、音声信号の変換を行う音声処理回路１３と、デュアル携帯端末４０Ａ，４０Ｂと無線接続するアクセスポイント１４と、アンテナ１５と、インターフェース回路（Ｉ／Ｆ）１６ａ〜１６ｃと、携帯用コネクタ１７ａ〜１７ｃと、ＬＡＮコネクタ１８と、を備えている。
【００２３】
インターフェース回路（Ｉ／Ｆ）１６ａ及び携帯用コネクタ１７ａを介して、携帯端末３０ＡがＣＰＵ１１及び音声処理回路１３に接続される。同様に、インターフェース回路（Ｉ／Ｆ）１６ｂ及び携帯用コネクタ１７ｂを介して、携帯端末３０ＢがＣＰＵ１１及び音声処理回路１３に接続され、インターフェース回路（Ｉ／Ｆ）１６ｃ及び携帯用コネクタ１７ｃを介して、携帯端末３０ＣがＣＰＵ１１及び音声処理回路１３に接続される。
【００２４】
アクセスポイント１４は、アンテナ１５を介してデュアル携帯端末４０Ａ，４０Ｂに無線接続される。ＬＡＮコネクタ１８を介して、ＣＰＵ１１及び音声処理回路１３がＩＰ電話機２０Ａ〜２０Ｅに接続される。
【００２５】
データテーブルは、管理下の携帯端末３０Ａ〜３０Ｃ、デュアル携帯端末４０Ａ，４０Ｂ及び配下のＩＰ電話機２０Ａ〜２０ＥのＬＡＮ用電話番号、各携帯端末３０Ａ〜３０Ｃ及びデュアル携帯端末４０Ａ，４０Ｂに関連付けられたＩＰ電話機２０Ａ〜２０Ｅの情報、各携帯端末３０Ａ〜３０Ｃ及びデュアル携帯端末４０Ａ，４０Ｂを選択して中継機として用いる場合の順位に関する情報、携帯端末３０Ａ〜３０ＣがＳＩＰサーバ１０に接続されてＳＩＰサーバ１０と通信可能になっているか否かを示す情報、デュアル携帯端末４０Ａ，４０ＢのうちのＳＩＰサーバ１０と通信可能範囲にある電話機の情報等を記憶する。
【００２６】
図３は、図１中のデュアル携帯端末４０Ａ，４０Ｂの概要を示す構成図である。
各デュアル携帯端末４０Ａ，４０Ｂは、図示しない携帯電話通信網を利用する携帯電話通信手段としての携帯電話通信部４１と、ＩＰ電話通信網のＬＡＮを利用するアクセスポイント通信手段としてのＷＬＡＮ通信機能部４２と、これら携帯電話通信部４１及びＷＬＡＮ通信機能部４２を制御する制御部４３と、携帯電話通信部４１及びＷＬＡＮ通信機能部４２に接続されたアンテナ４４と、図示しない操作ボタン等を備えている。
【００２７】
各デュアル携帯端末４０Ａ，４０Ｂは、それぞれ携帯電話網用の電話番号とＬＡＮ用の電話番号とが付与されており、ＬＡＮのエリア内では、ＷＬＡＮ通信機能部４２が作動し、ＬＡＮ用の電話番号で呼制御されるＩＰ電話として動作し、ＬＡＮのエリア外では、携帯電話通信部４１が作動して、携帯電話網用の電話番号で呼制御される携帯電話機として動作する。
【００２８】
各デュアル携帯端末４０Ａ，４０Ｂは、携帯電話通信部４１またはＷＬＡＮ通信機能部４２が動作する通常動作モードと、携帯電話通信部４１及びＷＬＡＮ通信機能部４２の両方が連動して動作可能な中継モードとを有する。
【００２９】
システムに所属する各デュアル携帯端末４０Ａ，４０Ｂには、ＳＩＰサーバ１０に設けられたアクセスポイント１４に付与された識別子（ＩＤ）が記憶されている。デュアル携帯端末４０Ａ，４０Ｂは、周辺に存在するアクセスポイントから一定周期で送信される信号をＷＬＡＮ通信機能部４２で受信し、その信号に含まれるアクセスポイントのＩＤを抽出する。抽出したＩＤが記憶しているＩＤと一致すると、デュアル携帯端末４０Ａ，４０Ｂは、通常動作モードから中継モードに切り替わる。
中継モードになると、各デュアル携帯端末４０Ａ，４０Ｂは、中継機としての役割を果たす。
【００３０】
尚、デュアル携帯端末４０Ａ，４０Ｂを充電器に装着すると、中継モードに切り替わるようにしてもよい。この場合、ＳＩＰサーバ１０と無線ＬＡＮ接続可能な範囲内に充電器を配置しておけば、その充電器にデュアル携帯端末４０Ａ，４０Ｂを装着することで、デュアル携帯端末４０Ａ，４０Ｂを中継モードにすることができる。
【００３１】
また、デュアル携帯端末４０Ａ，４０Ｂに設けたスイッチによって、中継モードと通常動作モードを切替える構成にしてもよい。
ＳＩＰサーバ１０は、例えば中継モードが選択されているデュアル携帯端末４０Ａ，４０Ｂに制御信号を送信し、当該携帯電話機を起動させて所定の電話番号に呼び出しを行わせる。
【００３２】
一方、携帯端末３０Ａ〜３０Ｃは、それぞれ携帯電話網用の電話番号とＬＡＮ用の電話番号とが付与されており、ＳＩＰサーバ１０に接続された状態ではＳＩＰサーバ１０からＬＡＮ用電話番号で呼制御され、システム外の携帯電話網からは携帯電話網用の電話番号で呼制御される。
【００３３】
次に、図１の電話システムの動作を説明する。
携帯端末３０Ａ〜３０Ｃ及びデュアル携帯端末４０Ａ，４０Ｂは、種々の利用形態が考えられる。
例えば携帯端末３０Ａ〜３０Ｃは、それぞれ携行可能であるが、例えば携帯端末３０Ａ〜３０Ｃのうちの例えば携帯端末３０Ａを社の代表電話として携行禁止とし、携帯端末３０Ｂを社の特定の部署の電話として携行禁止とし、携帯端末３０Ｃを担当者の使用する電話として携行を許してもよい。
【００３４】
また、デュアル携帯端末４０Ａ，４０Ｂについても、それぞれ携行可能であるが、携行禁止にしてもよいし、担当者の電話として携行を許可してもよい。
ここでは、携帯端末３０Ａを社の代表電話として携行禁止とし、携帯端末３０Ｂを社の特定の部署の電話として携行禁止とし、携帯端末３０Ｃ及びデュアル携帯端末４０Ａ，４０Ｂを担当者の使用する電話として携行を許し、各デュアル携帯端末４０Ａ，４０Ｂを担当者の電話として携行を許可した利用形態で用いられるものとして、説明をする。
【００３５】
デュアル携帯端末４０Ａ，４０Ｂは、それぞれ携行可能であるから、ＳＩＰサーバ１０の設置してある社内から社外に持ち出すことができる。この際、デュアル携帯端末４０Ａ，４０Ｂが、アクセスポイント１４の通信可能範囲外に到達すると、デュアル携帯端末４０Ａ，４０ＢのＷＬＡＮ通信機能部４２は、アクセスポイント１４に付与されているＩＤを識別できないから、中継モードが通常動作モードに切り替わる。
【００３６】
デュアル携帯端末４０Ａ，４０Ｂを、社内の所定の場所、つまりＳＩＰサーバ１０のアクセスポイント１４とデュアル携帯端末４０Ａ，４０ＢのＷＬＡＮ通信機能部４２とが無線ＬＡＮ通信可能となる場所に置くと、デュアル携帯端末４０Ａ，４０Ｂが中継モードとなる。
【００３７】
ＳＩＰサーバ１０は、データテーブルに、システムに所属するデュアル携帯端末４０Ａ，４０Ｂのうちのアクセスポイント１４を介して通信可能範囲にある端末の情報を更新しつつ記録している。例えばデュアル携帯端末４０Ａが、アクセスポイント１４を介してＳＩＰサーバ１０と通信可能な範囲に入ると、ＳＩＰサーバ１０は、デュアル携帯端末４０Ａが通信可能範囲にあることを示す情報をデータテーブルに記録し、デュアル携帯端末４０Ａが通信可能な範囲から外れると、デュアル携帯端末４０Ａが通信可能範囲にあることを示す情報を抹消する。
【００３８】
携帯端末３０Ａ，３０Ｂは携行禁止であり、ＳＩＰサーバ１０と通信可能な範囲に位置するから、データテーブルにＳＩＰサーバ１０と通信可能になっていることを示す情報が書込まれている。携帯端末３０Ｃは、携行可能であり、携行された場合には、コネクタ１７ｃから外されるので、ＳＩＰサーバ１０と通信できなくなる。このときには、データテーブルにＳＩＰサーバ１０と通信になっていないことを示す情報が書込まれる。コネクタ１７ｃを介して携帯端末３０ＣがＳＩＰサーバ１０と接続されたときには、ＳＩＰサーバ１０と通信可能であることを示す情報がデータテーブルに書込まれる。
【００３９】
以下の説明では、デュアル携帯端末４０Ａ，４０Ｂがいずれも中継モードであるものとし、携帯端末３０ＣがＳＩＰサーバ１０に接続されているものとする。
【００４０】
ＳＩＰサーバ１０は、例えばＩＰ電話機２０Ａから相手先の電話機の電話番号がダイヤルされると、携帯端末３０Ａ〜３０Ｃ及びデュアル携帯端末４０Ａ，４０Ｂのうちの例えばデュアル携帯端末４０Ａを選択して情報を送信する。デュアル携帯端末４０Ａの選択は、ＣＰＵ１１がメモリ１２に記録されているデータテーブルに基づいて行う。
【００４１】
ＳＩＰサーバ１０からデュアル携帯端末４０Ａに送信される情報には、デュアル携帯端末の識別子及びＩＰ電話機２０Ａから入力された接続先の電話番号情報が含まれる。
ＩＰ電話機２０Ａから入力された接続先の電話番号がシステム外の電話機の電話番号である場合、ＳＩＰサーバ１０からデュアル携帯端末４０Ａに送信される情報には、さらに、携帯電話網への呼制御要求信号等の制御信号が含まれる。
【００４２】
ＳＩＰサーバ１０から電話番号情報が送信されると、デュアル携帯端末４０ＡはＷＬＡＮ通信機能部４２で電話番号情報を受信し、その電話番号情報がデュアル携帯端末４０Ａ自身を指す場合は、デュアル携帯端末４０Ａを鳴動させる。これにより、デュアル携帯端末４０ＡとＩＰ電話機２０Ａとは通話可能になる。
【００４３】
受信した電話番号情報がシステム外の電話機を指す場合、ＳＩＰサーバ１０からの制御信号により、デュアル携帯端末４０Ａは、携帯電話通信部４１を起動して、アンテナ４４及び基地局を介して携帯電話網に呼制御要求信号及び電話番号情報を送信し、相手先の電話機を呼び出す。即ち、デュアル携帯端末４０Ａは、呼制御要求信号を受信すると、中継通信を開始する。相手先の電話機が応答すると、ＩＰ電話機２０Ａは、デュアル携帯端末４０Ａ及びＳＩＰサーバ１０を介して相手先の電話機と通話可能になる。
【００４４】
この通話中、相手先の電話機からの信号は、デュアル携帯端末４０Ａの携帯電話通信部４１で受信され、ＷＬＡＮ通信機能部４２からＳＩＰサーバ１０に送信され、ＳＩＰサーバ１０は受信した信号をＩＰ電話機２０Ａに送出する。逆にＩＰ電話機２０Ａからの信号は、ＳＩＰサーバ１０に送信され、ＳＩＰサーバ１０は受信した信号をデュアル携帯端末４０Ａに送信する。デュアル携帯端末４０Ａは、ＳＩＰサーバ１０の送信した信号をＷＬＡＮ通信機能部４２で受信し、携帯電話通信部４１から携帯電話網を介して相手先の電話機に送信する。
【００４５】
デュアル携帯端末４０Ａは、中継モードであると共に、携帯電話網からの情報を携帯電話通信部４１で受信して、その情報をＷＬＡＮ通信機能部４２がアクセスポイント１４に送信し、アクセスポイント１４からの情報をＷＬＡＮ通信機能部４２で受信し、その情報を携帯電話通信部４１が携帯電話網に送信している状態であれば、中継通信中であると判断し、中継通信が終了するまで操作ボタンの操作を無効にする。こうすることで、中継通信中に誤って操作ボタンが押下された場合でも、中継通信が妨げられることはない。
【００４６】
ＩＰ電話２０Ａから相手先の電話機の電話番号がダイヤルされたときに、例えばＳＩＰサーバ１０が、データテーブルに基づいて携帯端末３０Ｃを選択した場合、ＳＩＰサーバ１０は情報を携帯端末３０Ｃに送信する。
【００４７】
ＳＩＰサーバ１０から携帯端末３０Ｃに送信される情報には、携帯端末３０Ｃの識別子及びＩＰ電話機２０Ａから入力された接続先の電話番号情報が含まれる。
ＩＰ電話機２０Ａから入力された接続先の電話番号がシステム外の電話機の電話番号である場合、ＳＩＰサーバ１０から携帯端末３０Ｃに送信される情報には、さらに、携帯電話網への呼制御要求信号等の制御信号が含まれる。
【００４８】
ＳＩＰサーバ１０から電話番号情報等が送信されると、携帯端末３０Ｃは、その電話番号情報が携帯端末３０Ｃ自身を指す場合は、携帯端末３０Ｃを鳴動させる。これにより、携帯端末３０ＣとＩＰ電話機２０Ａとは通話可能になる。
【００４９】
受信した電話番号情報がシステム外の電話機を指す場合、ＳＩＰサーバ１０からの制御信号により、携帯端末３０Ｃは、携帯電話網に呼制御要求信号及び電話番号情報を送信し、相手先の電話機を呼び出す。即ち、携帯端末３０Ｃは、呼制御要求信号を受信すると、中継通信を開始する。相手先の電話機が応答すると、ＩＰ電話機２０Ａは、携帯端末３０Ｃ及びＳＩＰサーバ１０を介して相手先の電話機と通話可能になる。
【００５０】
携帯端末３０Ｃにおいても、中継通信中には、中継通信が終了するまで操作ボタンの操作を無効にする。こうすることで、中継通信中に誤って操作ボタンが押下された場合でも、中継通信が妨げられることはない。
【００５１】
次に、携帯電話網を介してシステム外の電話機からデュアル携帯端末又は携帯端末に着信があった場合の動作を説明する。
図４は、携帯端末３０Ａ〜３０Ｃ及び各デュアル携帯端末４０Ａ，４０Ｂに対応するＩＰ電話２０Ａ〜２０Ｅを示す説明図である。
【００５２】
システム外の電話機から携帯端末３０Ａ〜３０Ｃ或はデュアル携帯端末４０Ａ，４０Ｂに着信があった場合に、それに対応するＩＰ電話２０Ａ〜２０Ｅが選択されて着信するように、ＳＩＰサーバ１０のメモリ１２のデータテーブルには、各携帯端末３０Ａ〜３０Ｃ及び各デュアル携帯端末４０Ａ，４０Ｂに関連付けされてＩＰ電話２０Ａ〜２０Ｅが事前に登録される。
【００５３】
例えば、代表電話となる携帯端末３０Ａに着信があった場合に、５機のＩＰ電話機２０Ａ〜２０Ｅが対応して着信して鳴動するように、データテーブルには、携帯端末３０Ａに関連付けて５機のＩＰ電話機２０Ａ〜２０ＥのＬＡＮ用電話番号が識別子として記憶される。
【００５４】
同様に、特定の部署の電話となる携帯端末３０Ｂに着信があった場合に、４機のＩＰ電話機２０Ｂ〜２０Ｅが対応して着信して鳴動するように、データテーブルには、携帯端末３０Ｂに関連付けて４機のＩＰ電話機２０Ｂ〜２０ＥのＬＡＮ用電話番号が識別子として記憶される。
【００５５】
担当者の電話となる携帯端末３０Ｃ、デュアル携帯端末４０Ａ、デュアル携帯端末４０Ｂに着信があった場合に、それぞれＩＰ電話機２０Ｃ、ＩＰ電話２０Ｄ、ＩＰ電話２０Ｅが対応して着信して鳴動するように、データテーブルには、各携帯端末３０Ｃ、デュアル携帯端末４０Ａ、デュアル携帯端末４０Ｂに関連付けてＩＰ電話機２０Ｃ、ＩＰ電話２０Ｄ、ＩＰ電話２０ＥのＬＡＮ用電話番号がそれぞれ識別子として記憶される。
【００５６】
ここで、例えばデュアル携帯端末４０Ａがシステム外の電話機からの呼び出しを受けると、デュアル携帯端末４０Ａの携帯電話通信部４１が呼び出し信号を受信する。
【００５７】
デュアル携帯端末４０Ａは、鳴動すると共に、ＷＬＡＮ通信機能部４２で呼び出し信号を受信して、ＷＬＡＮ通信機能部４２からＳＩＰサーバ１０に、着信のあった旨を通知する。これに応答してＳＩＰサーバ１０のＣＰＵ１１は、メモリ１２に記憶されているデータテーブルに基づき、ＩＰ電話機２０ＤのＬＡＮ用電話番号を読出し、そのＬＡＮ用電話番号を用いてＩＰ電話機２０Ｄを選択して呼び出す。ＩＰ電話機２０Ｄが応答すると、ＩＰ電話機２０Ｄと発信元のシステム外の電話機とが、デュアル携帯端末４０Ａ及びＳＩＰサーバ１０を介して通話可能になる。尚、デュアル携帯端末４０Ａで応答することもできる。デュアル携帯端末４０Ａで応答した場合、デュアル携帯端末４０Ａと発信元のシステム外の電話機とが通話可能になる。デュアル携帯端末４０Ａで応答した場合、デュアル携帯端末４０Ａは応答したことをＳＩＰサーバ１０に通知し、ＳＩＰサーバ１０は、ＩＰ電話機２０Ｄの呼び出しを中止する。
【００５８】
発信元のシステム外の電話機とＩＰ電話機２０Ｄとの通話中、発信元のシステム外の電話機からの信号は、デュアル携帯端末４０Ａの携帯電話通信部４１で受信され、ＷＬＡＮ通信機能部４２からＳＩＰサーバ１０に送信され、ＳＩＰサーバ１０は受信した信号をＩＰ電話機２０Ｄに送出する。逆にＩＰ電話機２０Ｄからの信号は、ＳＩＰサーバ１０に送信され、ＳＩＰサーバ１０は受信した信号をデュアル携帯端末４０Ａに送信する。デュアル携帯端末４０Ａは、ＳＩＰサーバ１０の送信した信号をＷＬＡＮ通信機能部４２で受信し、携帯電話通信部４１から携帯電話網を介してシステム外の電話機に送信する。
【００５９】
このように、システム外の電話機からデュアル携帯端末４０Ａに着信があって、デュアル携帯端末４０Ａがシステム外の電話機とＳＩＰサーバ１０の配下のＩＰ電話機２０Ｄとの間の通信を中継する場合も、デュアル携帯端末４０Ａは、中継モードであると共に、携帯電話網からの情報を携帯電話通信部４１で受信して、その情報をＷＬＡＮ通信機能部４２がアクセスポイント１４に送信し、アクセスポイント１４からの情報をＷＬＡＮ通信機能部４２で受信し、その情報を携帯電話通信部４１が携帯電話網に送信している状態であれば、中継通信中であると判断し、中継通信が終了するまで操作ボタンの操作を無効にする。こうすることで、中継通信中に誤って操作ボタンが押下された場合でも、中継通信が妨げられることはない。
【００６０】
一方、システム外の電話機からの呼び出しに対し、デュアル携帯端末４０Ａを用いて応答した場合、発信元のシステム外の電話機とデュアル携帯端末４０Ａとは、デュアル携帯端末４０Ａの携帯電話通信部４１によって接続される。このときには、操作ボタンの操作は無効にならない。
【００６１】
一方、携帯端末３０Ａがシステム外の電話機からの呼び出しを受けると、携帯端末３０Ａが呼び出し信号を受信し、鳴動すると共にＳＩＰサーバ１０に着信のあった旨を通知する。これに応答してＳＩＰサーバ１０のＣＰＵ１１は、メモリ１２に記憶されているデータテーブルに基づき、５機のＩＰ電話機２０Ａ〜２０ＥのＬＡＮ用電話番号を読出し、これを用いてＩＰ電話機２０Ａ〜２０Ｅを呼び出し、鳴動させる。電話機２０Ａ〜２０Ｅのいずれかが応答すると、応答したＩＰ電話機と発信元のシステム外の電話機とが、携帯端末３０Ａ及びＳＩＰサーバ１０を介して通話可能になる。ＩＰ電話機２０Ａ〜２０Ｅのいずれかが応答すると、ＳＩＰサーバ１０は、応答をしない他のＩＰ電話機の呼び出しを中止すると共に、携帯端末３０Ａの鳴動を停止させる。
【００６２】
尚、携帯端末３０Ａがシステム外の電話機からの呼び出しを受けて応答することもできる。携帯端末３０Ａで応答した場合、携帯端末３０Ａと発信元のシステム外の電話機とが通話可能になる。携帯端末３０Ａで応答した場合、携帯端末３０Ａは応答したことをＳＩＰサーバ１０に通知し、ＳＩＰサーバ１０は、ＩＰ電話機２０Ａ〜２０Ｅの呼び出しを中止する。
【００６３】
システム外の電話機から携帯端末３０Ａに着信があって、携帯端末３０Ａがシステム外の電話機とＳＩＰサーバ１０の配下のＩＰ電話機２０Ａ〜２０Ｅとの間の通信を中継する場合も、携帯端末３０Ａは、中継通信が終了するまで操作ボタンの操作を無効にする。こうすることで、中継通信中に誤って操作ボタンが押下された場合でも、中継通信が妨げられることはない。
【００６４】
これに対し、システム外の電話機からの呼び出しに対し、携帯端末３０Ａを用いて応答した場合、携帯端末３０Ａは操作ボタンの操作を無効にしない。
【００６５】
また、特定の部署の電話である携帯端末３０Ｂがシステム外の電話機からの呼び出しを受けると、携帯端末３０Ｂが呼び出し信号を受信し、鳴動すると共にＳＩＰサーバ１０に着信のあった旨を通知する。これに応答してＳＩＰサーバ１０のＣＰＵ１１は、メモリ１２に記憶されているデータテーブルに基づき、４機のＩＰ電話機２０Ｂ〜２０ＥのＬＡＮ用電話番号を読出し、これを用いてＩＰ電話機２０Ｂ〜２０Ｅを呼び出し、鳴動させる。ＩＰ電話機２０Ｂ〜２０Ｅのいずれかが応答すると、応答したＩＰ電話機と発信元のシステム外の電話機とが、携帯端末３０Ｂ及びＳＩＰサーバ１０を介して通話可能になる。ＩＰ電話機２０Ｂ〜２０Ｅのいずれかが応答すると、ＳＩＰサーバ１０は、応答をしない他のＩＰ電話機の呼び出しを中止すると共に、携帯端末３０Ｂの鳴動を停止させる。
【００６６】
尚、携帯端末３０Ｂがシステム外の電話機からの呼び出しを受けて応答することもできる。携帯端末３０Ｂで応答した場合、携帯端末３０Ｂと発信元のシステム外の電話機とが通話可能になる。携帯端末３０Ｂで応答した場合、携帯端末３０Ｂは応答したことをＳＩＰサーバ１０に通知し、ＳＩＰサーバ１０は、ＩＰ電話機２０Ｂ〜２０Ｅの呼び出しを中止する。
【００６７】
システム外の電話機から携帯端末３０Ｂに着信があって、携帯端末３０Ｂがシステム外の電話機とＳＩＰサーバ１０の配下のＩＰ電話機２０Ｂ〜２０Ｅとの間の通信を中継する場合も、携帯端末３０Ｂは、中継通信が終了するまで操作ボタンの操作を無効にする。こうすることで、中継通信中に誤って操作ボタンが押下された場合でも、中継通信が妨げられることはない。
これに対し、システム外の電話機からの呼び出しに対し、携帯端末３０Ｂを用いて応答した場合、携帯端末３０Ｂは操作ボタンの操作を無効にしない。
【００６８】
また、担当者の電話である携帯端末３０Ｃがシステム外の電話機からの呼び出しを受けると、携帯端末３０Ｃが呼び出し信号を受信し、鳴動すると共にＳＩＰサーバ１０に着信のあった旨を通知する。これに応答してＳＩＰサーバ１０のＣＰＵ１１は、メモリ１２に記憶されているデータテーブルに基づき、ＩＰ電話機２０ＣのＬＡＮ用電話番号を読出し、これを用いてＩＰ電話機２０Ｃを呼び出し、鳴動させる。ＩＰ電話機２０Ｃが応答すると、応答したＩＰ電話機２０Ｃと発信元のシステム外の電話機とが、携帯端末３０Ｃ及びＳＩＰサーバ１０を介して通話可能になる。ＩＰ電話機２０Ｃが応答すると、ＳＩＰサーバ１０は、携帯端末３０Ｃの鳴動を停止させる。
【００６９】
尚、携帯端末３０Ｃがシステム外の電話機からの呼び出しを受けて応答することもできる。携帯端末３０Ｃで応答した場合、携帯端末３０Ｃと発信元のシステム外の電話機とが通話可能になる。携帯端末３０Ｃで応答した場合、携帯端末３０Ｃは応答したことをＳＩＰサーバ１０に通知し、ＳＩＰサーバ１０は、ＩＰ電話機２０Ｃの呼び出しを中止する。
【００７０】
システム外の電話機から携帯端末３０Ｃに着信があって、携帯端末３０Ｃがシステム外の電話機とＳＩＰサーバ１０の配下のＩＰ電話機２０Ｃとの間の通信を中継する場合も、携帯端末３０Ｃは、中継通信が終了するまで操作ボタンの操作を無効にする。こうすることで、中継通信中に誤って操作ボタンが押下された場合でも、中継通信が妨げられることはない。
【００７１】
これに対し、システム外の電話機からの呼び出しに対し、携帯端末３０Ｃを用いて応答した場合、携帯端末３０Ｃは操作ボタンの操作を無効にしない。
以上のように、本実施形態の電話システムでは、着信のあった携帯端末３０Ａ〜３０Ｃ或はデュアル携帯端末４０Ａ，４０Ｂに対応するＩＰ電話機２０Ａ〜２０Ｅに呼び出しを行うことができる。
【図面の簡単な説明】
【００７２】
【図１】本発明の実施形態に係る電話システムを示す構成図である。
【図２】図１中のＳＩＰサーバを示す構成図である。
【図３】図１中のデュアル携帯端末の概要を示す構成図である。
【図４】携帯端末及び各デュアル携帯端末に対応するＩＰ電話機を示す説明図である。
【符号の説明】
【００７３】
１０      ＳＩＰサーバ
１１      ＣＰＵ
１２      メモリ
１３      音声処理回路
１４      アクセスポイント
１５      アンテナ
２０Ａ〜２０Ｅ      ＩＰ電話機
３０Ａ〜３０Ｃ      携帯端末
４０Ａ，４０Ｂ      デュアル携帯端末
４１      携帯電話通信部
４２      ＷＬＡＮ通信機能部
４３      制御部
７４      アンテナ
【図１】
2010041148.tif 000003
【図２】
2010041148.tif 000004
【図３】
2010041148.tif 000005
【図４】
2010041148.tif 000006